(57)【特許請求の範囲】
【請求項１】
情報を記憶する記憶手段と、情報を記憶手段から読み出して送信する無線通信手段とを備える無線情報記憶装置において、
無線情報記憶装置本体の外壁面に付着した導電性接着剤と、導電性接着剤との接点を有し、この接点の電位変化を検出する検出手段とを備え、
記憶手段は、検出手段により検出された電位変化に応じて、情報を書き換えることを特徴とする無線情報記憶装置。
【請求項２】
前記無線通信手段は、前記記憶手段の情報が書き換えられると、書き換えられた情報を送信することを特徴とする請求項１に記載の無線情報記憶装置。
【請求項３】
無線情報記憶装置本体の外壁面は、記憶手段、無線通信手段、及び検出手段を封止した合成樹脂の外壁面であることを特徴とする請求項１又は２に記載の無線情報記憶装置。
【請求項４】
導電性接着剤及び非導電性接着剤を無線情報記憶装置本体の外壁面のそれぞれの領域に付着させたことを特徴とする請求項１〜３のいずれか１つに記載の無線情報記憶装置。
【請求項５】
導電性接着剤は、無線情報記憶装置本体の外壁面に直接付着した第１導電性接着剤層と、第１導電性接着剤層に積層され、第１導電性接着剤層よりも強い接着力を有する第２導電性接着剤層とを備えることを特徴とする請求項１〜４のいずれか１つに記載の無線情報記憶装置。
【請求項６】
無線情報記憶装置本体の外壁面の材質は、該外壁面と導電性接着剤間の接着力を弱めるものであることを特徴とする請求項１〜５のいずれか１つに記載の無線情報記憶装置。
【発明の詳細な説明】
【０００１】
【発明の属する技術分野】
本発明は、商品等に貼付され、商品等を管理するために用いられる無線情報記憶装置に関する。
【０００２】
【従来の技術】
この種の無線情報記憶装置は、倉庫内の商品等や店頭に陳列されている商品等に取り付けられ、商品等に関する情報を記憶したり、情報を無線通信により送受信する。この様な無線情報記憶装置を多数の商品にそれぞれ取り付けておき、各無線情報記憶装置からそれぞれの情報を収集することにより、各商品の管理等を行う（例えば特開平９−１０４１８９号公報を参照）。
【０００３】
図１８は、従来の無線情報記憶装置を示す側面図である。この装置は、基台１０１と、基台１０１上に形成されたアンテナ１０２と、情報を記憶するメモリ及び無線通信装置を内蔵する集積回路チップ（以下ＩＣチップと称す）１０３とを備えている。アンテナ１０２及びＩＣチップ１０３上には、保護紙１０４を被せている。また、基台１０１の下面に接着剤層１０５を塗布し、この接着剤層１０５に台紙１０６を重ね合わせている。台紙１０６には、油脂等が塗布されており、台紙１０６を接着剤層１０５から容易に剥がすことができる。
【０００４】
この様な無線情報記憶装置を商品等に取り付けるには、台紙１０６を剥がしてから、基台１０１の接着剤層１０５を商品等に押し付けて、装置本体を貼り付ける。
【０００５】
【発明が解決しようとする課題】
ところで、商品等を受け渡すときには、無線情報記憶装置を取り外す必要がある。このため、無線情報記憶装置を接着剤やワイヤー等により取り付けて、その取り外しを容易にしている。しかしながら、その取り外しが容易なために、無線情報記憶装置が不用意に脱落し易い。それにもかかわらず、従来は、この脱落を検出しておらず、脱落した装置をそのまま放置することが多かった。
【０００６】
そこで、本発明は、上記従来の問題点に鑑みてなされたものであり、商品等から脱落したときに、これを検出することが可能な無線情報記憶装置を提供することを目的とする。
【０００７】
上記課題を解決するために、本発明は、情報を記憶する記憶手段と、情報を記憶手段から読み出して送信する無線通信手段とを備える無線情報記憶装置において、無線情報記憶装置本体の外壁面に付着した導電性接着剤と、導電性接着剤との接点を有し、この接点の電位変化を検出する検出手段とを備え、記憶手段は、検出手段により検出された電位変化に応じて、情報を書き換えている。
また、本発明においては、前記無線通信手段は、前記記憶手段の情報が書き換えられると、書き換えられた情報を送信している。
【０００８】
この様な構成の本発明によれば、導電性接着剤が無線情報記憶装置本体の外壁面に付着しているので、導電性接着剤を商品等の対象物に押し付けて、無線情報記憶装置本体を対象物に貼り付けることができる。また、導電性接着剤を通じて、検出手段と導電性接着剤との接点の電位を設定することができる。対象物からの無線情報記憶装置本体の脱落により、導電性接着剤が対象物側に付着して検出手段との接点から離れると、この接点の電位が変化する。記憶手段は、この接点の電位変化に応じて、記憶手段内の情報を書き換える。従って、記憶手段内の情報は、無線情報記憶装置本体が対象物から脱落したか否かを示す。記憶手段内の情報は、無線通信手段により送信されるので、この情報を受信すれば、無線情報記憶装置本体が脱落したか否かを知ることができる。
【０００９】
また、本発明においては、無線情報記憶装置本体の外壁面は、記憶手段、無線通信手段、及び検出手段を封止した合成樹脂の外壁面である。
【００１０】
この合成樹脂により、記憶手段、無線通信手段、及び検出手段を強固に一体化することができる。
【００１１】
更に、本発明においては、導電性接着剤及び非導電性接着剤を無線情報記憶装置本体の外壁面のそれぞれの領域に付着させている。
【００１２】
この場合、接着力が非導電性接着剤により補われるので、導電性接着剤の面積を小さくすることができる。これにより、導電性接着剤が無線情報記憶装置本体から剥がれて対象物側に付着し易くなり、検出手段の接点が導電性接着剤から確実に離れる。
【００１３】
また、本発明においては、導電性接着剤は、無線情報記憶装置本体の外壁面に直接付着した第１導電性接着剤層と、第１導電性接着剤層に積層され、第１導電性接着剤層よりも強い接着力を有する第２導電性接着剤層とを備えている。
【００１４】
この様な２層構造の導電性接着剤を対象物に押し付けて、無線情報記憶装置本体を対象物に貼り付けると、弱い接着力の第１導電性接着剤層が無線情報記憶装置本体に接し、強い接着力の第２導電性接着剤層が対象物に接する。このため、無線情報記憶装置本体が対象物から脱落したときには、第１導電性接着剤層が無線情報記憶装置本体から剥がれ、第１及び第２導電性接着層が対象物側に付着する。これにより、検出手段の接点が導電性接着剤から確実に離れる。
【００１５】
更に、本発明においては、無線情報記憶装置本体の外壁面の材質は、該外壁面と導電性接着剤間の接着力を弱めるものである。
【００１６】
この様に無線情報記憶装置本体の外壁面と導電性接着剤間の接着力が弱い場合も、無線情報記憶装置本体が対象物から脱落したときに、導電性接着剤が無線情報記憶装置本体から剥がれて対象物側に付着し、検出手段の接点が導電性接着剤から確実に離れる。
【００２１】
【発明の実施の形態】
以下、本発明の実施形態を貼付図面を参照して詳細に説明する。
【００２２】
図１は、本発明の無線情報記憶装置の第１実施形態を示す側面図である。本実施形態の無線情報記憶装置１０では、基台１１と、基台１１上に形成されたアンテナ１２と、集積回路チップ（以下ＩＣチップと称す）１３とを備え、基台１１の下面に導電性接着剤層１４を塗布している。また、ＩＣチップ１３から一対のライン１７、１８を導出し、各ライン１７、１８を導電性接着剤層１４に接触させている。
【００２３】
ＩＣチップ１３は、図２に示す様にメモリ５と、メモリ５に対する情報の書き込み及び読み出し制御を行うメモリ制御部６と、情報をアンテナ１２を通じて送受する無線通信制御部７と、電力ライン９を通じて各部へと電力を供給する電源８とを備えている。
【００２４】
メモリ制御部６は、図３に示す様な検出部１６を含む。検出部１６では、一方のライン１７を接地し、他方のライン１８をプルアップ抵抗１９に接続し、プルアップ抵抗１９に所定の電圧Ｖを印加している。ここでは、各ライン１７、１８が導電性接着剤層１４を通じて接続されいるので、ライン１８が接地電位となる。このライン１８の接地電位に応じて、メモリ制御部６は、メモリ５内の所定のビットＢｔを初期値の「０」に設定する。また、メモリ５には、ビットＢｔの他に、ＩＤタグコードやカウンタ値等を記憶しており、カウンタ値を初期値の「０」に設定している。
【００２５】
さて、基台１１の導電性接着剤層１４を商品等の対象物に押し付けて、無線情報記憶装置１０を対象物に貼り付ける。このとき、メモリ５内のビットＢｔは、初期値の「０」である。
【００２６】
この後に何等かの原因により、無線情報記憶装置１０が対象物から脱落し、これに伴って導電性接着剤層１４が基台１１から剥がれて対象物側に付着し、図４に示す様に導電性接着剤層１４が各ライン１７、１８から離れて、各ライン１７、１８間が切断されると、ライン１８の電位がプルアップ抵抗１９を通じて上昇される。このときのライン１８の電位に応じて、メモリ制御部６は、メモリ５内のビットＢｔを値「１」に更新すると共に、メモリ５内のカウンタ値を歩進して値「１」に更新する。
【００２７】
この様に無線情報記憶装置１０が対象物に貼り付いているときには、メモリ５内のビットＢｔが値「０」に設定され、また無線情報記憶装置１０が対象物から脱落して、導電性接着剤層１４が各ライン１７、１８から離れ、ライン１８の電位が上昇すると、メモリ５内のビットＢｔが値「１」に更新され、メモリ５内のカウンタ値が歩進される。
【００２８】
こうして無線情報記憶装置１０が対象物から脱落しても、無線情報記憶装置１０を導電性接着剤層１４介して対象物に再び貼り付けることができ、このときにはライン１８が接地電位となるので、メモリ５内のビットＢｔが値「０」に設定される。そして、無線情報記憶装置１０が対象物から再び脱落し、ライン１８の電位がプルアップ抵抗１９を通じて上昇されると、メモリ５内のビットＢｔが値「１」に更新され、これに伴ってメモリ５内のカウンタ値が歩進されて値「２」に更新される。
【００２９】
従って、メモリ５内のビットＢｔの値は、無線情報記憶装置１０が対象物から脱落したか否かを示す。また、メモリ５内のカウンタ値は、無線情報記憶装置１０が対象物から脱落した回数を示す。
【００３０】
無線通信制御部７は、メモリ制御部６を通じてメモリ５内のビットＢｔの値を監視しており、ビットＢｔの値が「１」になると、メモリ５からビットＢｔの値、ＩＤタグコード、及びカウンタ値を読み出し、これらをアンテナ１２を通じて送信する。これらのビットＢｔの値、ＩＤタグコード、及びカウンタ値を受信すれば、ＩＤタグコードにより無線情報記憶装置１０を識別し、ビットＢｔの値により無線情報記憶装置１０が脱落したことを判定し、カウンタ値により無線情報記憶装置１０が対象物から脱落した回数を判定することができる。このため、ＩＤタグコードに対応する無線情報記憶装置１０の位置まで行って、その原因を調べたり、無線情報記憶装置１０を対象物に再び貼り付けることができる。また、その脱落回数に応じて、無線情報記憶装置１０の使用限界を知り、適切な時期に無線情報記憶装置１０の交換を行うことができる。
【００３１】
図５は、本発明の無線情報記憶装置の第２実施形態を示す側面図である。本実施形態の無線情報記憶装置２０では、基台１１の下面に導電性接着剤層２１及び非導電性接着剤層２２を塗布し、各ライン１７、１８を導電性接着剤層２１に接触させている。尚、図５において、図１と同様の作用を果たす部位には、同じ符号を付す。
【００３２】
ここでは、導電性接着剤２１の面積を小さくしているので、無線情報記憶装置２０が対象物から脱落したときには、導電性接着剤２１が基台１１から容易に剥がれて対象物側に付着し、導電性接着剤２１が各ライン１７、１８から確実に離れる。また、非導電性接着剤層２２は、導電性接着剤２１の接着力を補う役目を果たす。
【００３３】
本実施形態の無線情報記憶装置２０においても、図１の装置１０と同様にＩＣチップ１３を備えており、無線情報記憶装置２０が対象物から脱落して、導電性接着剤層２１が各ライン１７、１８から離れると、ライン１８の電位が上昇して、ＩＣチップ１３のメモリ５内のビットＢｔが値「１」に更新され、メモリ５内のカウンタ値が歩進される。そして、このビットＢｔの値「１」、カウンタ値、及びＩＤタグコードが送信される。
【００３４】
図６は、本発明の無線情報記憶装置の第３実施形態を示す側面図である。本実施形態の無線情報記憶装置３０では、基台１１、アンテナ１２、及びＩＣチップ１３を封止する合成樹脂３１をモールド成形し、合成樹脂３１の下面に導電性接着剤層２１及び非導電性接着剤層２２を塗布している。尚、図６において、図５と同様の作用を果たす部位には、同じ符号を付す。
【００３５】
合成樹脂３１は、基台１１、アンテナ１２、及びＩＣチップ１３を封止して一体化する役目を果たし、無線情報記憶装置３０を強固にする。
【００３６】
本実施形態の無線情報記憶装置３０においても、図１の装置１０と同様にＩＣチップ１３を備えており、無線情報記憶装置３０が対象物から脱落して、導電性接着剤層２１が各ライン１７、１８から離れると、ライン１８の電位が上昇して、ＩＣチップ１３のメモリ５内のビットＢｔが値「１」に更新され、メモリ５内のカウンタ値が歩進される。そして、このビットＢｔの値「１」、カウンタ値、及びＩＤタグコードが送信される。
【００３７】
図７は、本発明の無線情報記憶装置の第４実施形態を示す側面図である。本実施形態の無線情報記憶装置４０では、基台１１の下面に第１導電性接着剤層４１及び第２導電性接着剤層４２を積層して塗布し、各ライン１７、１８を第１及び第２導電性接着剤層４１、４２に接触させている。また、第２導電性接着剤層４２に台紙４３を重ね合わせている。台紙４３には、油脂等が塗布されており、台紙４３を第２導電性接着剤層４２から容易に剥がすことができる。更に、アンテナ１２及びＩＣチップ１３上に、保護紙４４を被せている。尚、図７において、図１と同様の作用を果たす部位には、同じ符号を付す。
【００３８】
無線情報記憶装置４０を対象物に貼り付けるには、図８に示す様に台紙４３を剥がしてから、基台１１の第１及び第２導電性接着剤層４１、４２を対象物４５に押し付けて接着する。
【００３９】
ここで、第１及び第２導電性接着剤層４１、４２の接着力は、相互に異なり、第１導電性接着剤層４１の接着力が弱く、第２導電性接着剤層４２の接着力が強い。従って、第１導電性接着剤層４１が基台１１から剥がれ易く、第２導電性接着剤層４２が対象物４５から剥がれ難い。このため、図９に示す様に無線情報記憶装置４０が対象物４５から脱落したときには、第１及び第２導電性接着剤層４１、４２が基台１１から容易に剥がれて対象物４５側に付着し、第１及び第２導電性接着剤層４１、４２が各ライン１７、１８から確実に離れる。
【００４０】
本実施形態の無線情報記憶装置４０においても、図１の装置１０と同様にＩＣチップ１３を備えており、無線情報記憶装置４０が対象物から脱落して、第１及び第２導電性接着剤層４１、４２が各ライン１７、１８から離れると、ライン１８の電位が上昇して、メモリ５内のビットＢｔが値「１」に更新され、メモリ５内のカウンタ値が歩進される。そして、このビットＢｔの値「１」、カウンタ値、及びＩＤタグコードが送信される。
【００４１】
図１０は、本発明の無線情報記憶装置の第５実施形態を示す側面図である。本実施形態の無線情報記憶装置５０では、基台１１の下面に導電性接着剤層５１及び非導電性接着剤層５２を塗布し、各ライン１７、１８を導電性接着剤層５１に接触させている。また、各接着剤層５１、５２に台紙５３を重ね合わせている。
台紙５３には、油脂等が塗布されており、台紙５３を各接着剤層５１、５２から容易に剥がすことができる。更に、アンテナ１２及びＩＣチップ１３上に、保護紙５４を被せている。尚、図１０において、図１と同様の作用を果たす部位には、同じ符号を付す。
【００４２】
無線情報記憶装置５０を対象物に貼り付けるには、図１１に示す様に台紙５３を剥がしてから、基台１１の各接着剤層５１、５２を対象物５５に押し付けて接着する。
【００４３】
ここで、基台１１の材質として、基台１１と導電性接着剤層５１間の接着力を弱めるものを選択している。従って、導電性接着剤層５１は、基台１１よりも対象物５５の方に強固に付着する。このため、図１２に示す様に無線情報記憶装置５０が対象物５５から脱落したときには、導電性接着剤層５１が基台１１から容易に剥がれて対象物５５側に付着し、導電性接着剤層５１が各ライン１７、１８から確実に離れる。
【００４４】
本実施形態の無線情報記憶装置５０においても、図１の装置１０と同様にＩＣチップ１３を備えており、無線情報記憶装置５０が対象物から脱落して、導電性接着剤層５１が各ライン１７、１８から離れると、ライン１８の電位が上昇して、メモリ５内のビットＢｔが値「１」に更新され、メモリ５内のカウンタ値が歩進される。そして、このビットＢｔの値「１」、カウンタ値、及びＩＤタグコードが送信される。
【００４５】
図１３は、本発明の無線情報記憶装置の第６実施形態を示す側面図である。本実施形態の無線情報記憶装置６０では、基台１１、アンテナ１２、及びＩＣチップ１３を封止する合成樹脂３１をモールド成形し、ＩＣチップ１３から導出された一対のライン１７、１８に導電性ワイヤー６１の両端を接続している。尚、図１３において、図６と同様の作用を果たす部位には、同じ符号を付す。
【００４６】
ＩＣチップ１３は、先に述べた図２の構成を有しており、ＩＣチップ１３のメモリ制御部６に図１４に示す様な検出部１６を含む。検出部１６では、一方のライン１７を接地し、他方のライン１８をプルアップ抵抗１９に接続し、プルアップ抵抗１９に所定の電圧Ｖを印加している。ここでは、各ライン１７、１８が導電性ワイヤー６１を通じて接続されいるので、ライン１８が接地電位となる。このライン１８の接地電位に応じて、ＩＣチップ１３のメモリ５内の所定のビットＢｔを初期値の「０」に設定する。
【００４７】
図１５に示す様に、導電性ワイヤー６１を商品等の対象物７１に絡み付けて、無線情報記憶装置６０を対象物７１に取り付ける。このとき、メモリ５内のビットＢｔが初期の値「０」に設定される。
【００４８】
この後に何等かの原因により、図１６に示す様に導電性ワイヤー６１が断線して、無線情報記憶装置６０が対象物７１から脱落したときには、図１７に示す様に各ライン１７、１８間が切断され、ライン１８の電位がプルアップ抵抗１９を通じて上昇される。このときのライン１８の電位に応じて、メモリ５内のビットＢｔが値「１」に更新され、メモリ５内のカウンタ値が歩進される。
【００４９】
この様に本実施形態では、無線情報記憶装置６０が導電性ワイヤー６１により対象物７１に取り付けられているときに、メモリ５内のビットＢｔが値「０」に設定され、また導電性ワイヤー６１が断線して、無線情報記憶装置６０が対象物７１から脱落し、ライン１８の電位が上昇すると、メモリ５内のビットＢｔが値「１」に更新され、メモリ５内のカウンタ値が歩進される。そして、このビットＢｔの値「１」、カウンタ値、及びＩＤタグコードが送信される。
【００５０】
尚、本発明は、上記各実施形態に限定されるものではなく、特許請求の範囲を逸脱しない程度に変形することができる。
【００５１】
【発明の効果】
以上説明した様に本発明によれば、導電性接着剤が無線情報記憶装置本体の外壁面に付着しているので、導電性接着剤を商品等の対象物に押し付けて、無線情報記憶装置本体を対象物に貼り付けることができる。また、導電性接着剤を通じて、検出手段と導電性接着剤との接点の電位を設定することができる。対象物からの無線情報記憶装置本体の脱落により、導電性接着剤が対象物側に付着して検出手段との接点から離れると、この接点の電位が変化する。記憶手段は、この接点の電位変化に応じて、記憶手段内の情報を書き換える。従って、記憶手段内の情報は、無線情報記憶装置本体が対象物から脱落したか否かを示す。記憶手段内の情報は、無線通信手段により送信されるので、この情報を受信すれば、無線情報記憶装置本体が脱落したか否かを知ることができる。
【００５２】
また、本発明によれば、記憶手段、無線通信手段、及び検出手段を合成樹脂により封止して強固に一体化している。
【００５３】
更に、本発明によれば、導電性接着剤及び非導電性接着剤を用いるので、非導電性接着剤により接着力を補うことができる。また、導電性接着剤の面積を小さくすることができる。これにより、導電性接着剤が無線情報記憶装置本体から剥がれて対象物側に付着し易くなり、検出手段の接点が導電性接着剤から確実に離れる。
【００５４】
また、本発明によれば、導電性接着剤は、第１導電性接着剤層と、第１導電性接着剤層よりも強い接着力を有する第２導電性接着剤層とを含む。この様な２層構造の導電性接着剤を対象物に押し付けて、無線情報記憶装置本体を対象物に貼り付けると、弱い接着力の第１導電性接着剤層が無線情報記憶装置本体に接し、強い接着力の第２導電性接着剤層が対象物に接する。このため、無線情報記憶装置本体が対象物から脱落したときには、第１導電性接着剤層が無線情報記憶装置本体から剥がれ、第１及び第２導電性接着層が対象物側に付着する。これにより、検出手段の接点が導電性接着剤から確実に離れる。
【００５５】
更に、本発明によれば、無線情報記憶装置本体の外壁面の材質は、該外壁面と導電性接着剤間の接着力を弱めるものなので、無線情報記憶装置本体が対象物から脱落したときに、導電性接着剤が無線情報記憶装置本体から剥がれて対象物側に付着し、検出手段の接点が導電性接着剤から確実に離れる。
【００５６】
次に、本発明によれば、導電性部材により無線情報記憶装置本体が対象物に取り付けられる。また、導電性部材を通じて、検出手段と導電性部材との接点の電位を設定することができる。対象物からの無線情報記憶装置本体の脱落に際し、導電性部材が壊れると、検出手段と導電性部材との接点の電位が変化する。検出手段は、導電性部材との接点の電位に応じて、記憶手段内の情報を書き換える。
記憶手段内の情報は、無線通信手段により送信されるので、この情報を受信すれば、無線情報記憶装置本体が脱落したか否かを知ることができる。
【００５７】
また、本発明によれば、導電性部材として、ワイヤーを適用し、このワイヤーを対象物に絡み付けている。このワイヤーが切れて、無線情報記憶装置本体が対象物から脱落したときには、検出手段とワイヤーとの接点の電位が変化する。
【図面の簡単な説明】
【図１】本発明の無線情報記憶装置の第１実施形態を示す側面図である。
【図２】本実施形態の無線情報記憶装置の構成を示すブロック図である。
【図３】図１の装置の構成を部分的に示す図である。
【図４】図３の構成において導電性接着剤層が剥がれた状態を示す図である。
【図５】本発明の無線情報記憶装置の第２実施形態を示す側面図である。
【図６】本発明の無線情報記憶装置の第３実施形態を示す側面図である。
【図７】本発明の無線情報記憶装置の第４実施形態を示す側面図である。
【図８】図７の無線情報記憶装置を対象物に取り付けた状態を示す図である。
【図９】図７の無線情報記憶装置が対象物から脱落した状態を示す図である。
【図１０】本発明の無線情報記憶装置の第５実施形態を示す側面図である。
【図１１】図１０の無線情報記憶装置を対象物に取り付けた状態を示す図である。
【図１２】図１０の無線情報記憶装置が対象物から脱落した状態を示す図である。
【図１３】本発明の無線情報記憶装置の第６実施形態を示す側面図である。
【図１４】図１３の装置の構成を部分的に示す図である。
【図１５】図１３の無線情報記憶装置を対象物に取り付けた状態を示す図である。
【図１６】図１３の無線情報記憶装置が対象物から脱落した状態を示す図である。
【図１７】図１４の構成において導電性ワイヤーが切断した状態を示す図である。
【図１８】従来の無線情報記憶装置を示す側面図である。
【符号の説明】
１０、２０、３０、４０、５０、６０  無線情報記憶装置
１１  基台
１２  アンテナ
１３  集積回路チップ（ＩＣチップ）
１４、２１、５１  導電性接着剤層
５  メモリ
１６  検出部
１７、１８  ライン
１９  プルアップ抵抗
２２、５２  非導電性接着剤層
３１  合成樹脂
４１  第１導電性接着剤層
４２  第２導電性接着剤層
４３、５３  台紙
４４  保護紙
４５、５５、７１  対象物
６１  導電性ワイヤー
【図１】
0004553508.tif 000002
【図２】
0004553508.tif 000003
【図３】
0004553508.tif 000004
【図４】
0004553508.tif 000005
【図５】
0004553508.tif 000006
【図６】
0004553508.tif 000007
【図７】
0004553508.tif 000008
【図８】
0004553508.tif 000009
【図９】
0004553508.tif 000010
【図１０】
0004553508.tif 000011
【図１１】
0004553508.tif 000012
【図１２】
0004553508.tif 000013
【図１３】
0004553508.tif 000014
【図１４】
0004553508.tif 000015
【図１５】
0004553508.tif 000016
【図１６】
0004553508.tif 000017
【図１７】
0004553508.tif 000018
【図１８】
0004553508.tif 000019